(57)【要約】【課題】内容物を最適に乾燥し、かつ消費エネルギーを節約し得る乾燥装置及びその方法を提供すること。【解決手段】乾燥装置内の内容物の重さを測定する重さ感知センサ10と、内容物の湿度量を測定する湿度センサ20と、それら測定された内容物の重さ及び湿度量を予め決定されたデータと比較し、この比較結果に基づいて内容物の乾燥時間を調節する制御部30と、調節された乾燥時間の間、内容物を乾燥させる乾燥手段40とを含み、内容物の重さ及び湿度量、また、内容物の重さ及び湿度量の変化による内容物の乾燥時間を測定し、該測定されたデータを格納部50に格納して、格納部50の格納データに基づいて内容物の乾燥時間を調節する。【選択図】図１
2004267782.tif 000002
【特許請求の範囲】
【請求項１】
乾燥装置内の内容物の重さ及び湿度量を予め決定されたデータと比較し、該比較結果に基づいて前記内容物の乾燥時間を調節する制御部を含んで構成されることを特徴とする乾燥装置。
【請求項２】
前記予め決定されたデータは、
予め測定された内容物の重さと、予め測定された内容物の湿度量と、予め測定された前記内容物の重さ及び湿度量に応じて予め決定された乾燥時間と、から構成されることを特徴とする請求項１記載の乾燥装置。
【請求項３】
乾燥装置内の内容物の重さを測定する重さ感知センサと、
前記内容物の湿度量を測定する湿度センサと、
測定された内容物の重さ及び湿度量を予め決定されたデータと比較し、該比較結果に基づいて前記内容物の乾燥時間を調節する制御部と、
該調節された乾燥時間の間、前記内容物を乾燥させる乾燥手段と、
を含んで構成されることを特徴とする乾燥装置。
【請求項４】
前記予め決定されたデータは、格納部に格納されることを特徴とする請求項３記載の乾燥装置。
【請求項５】
前記予め決定されたデータは、
予め測定された内容物の重さと、予め測定された内容物の湿度量と、予め測定された前記内容物の重さ及び湿度量に応じて予め決定された乾燥時間と、から構成されることを特徴とする請求項４記載の乾燥装置。
【請求項６】
前記乾燥手段は、抵抗体の発熱やマイクロウエーブにより乾燥させることを特徴とする請求項３記載の乾燥装置。
【請求項７】
乾燥装置内の内容物の重さ及び湿度量を予め決定されたデータと比較し、該比較結果に基づいて前記内容物の乾燥時間を調節する段階を含むことを特徴とする乾燥方法。
【請求項８】
前記予め決定されたデータは、
予め測定された内容物の重さと、予め測定された内容物の湿度量と、予め測定された前記内容物の重さ及び湿度量に応じて予め決定された乾燥時間と、から構成されることを特徴とする請求項７記載の乾燥方法。
【請求項９】
乾燥装置内の内容物の重さ及び湿度量を測定する段階と、
該測定された内容物の重さ及び湿度量を予め決定されたデータと比較し、該比較結果に基づいて前記内容物の乾燥時間を調節する段階と、
該調節された乾燥時間の間、前記内容物を乾燥させる段階と、を順次行うことを特徴とする乾燥方法。
【請求項１０】
前記測定する段階は、前記内容物の重さを重さ感知センサにより測定することを特徴とする請求項９記載の乾燥方法。
【請求項１１】
前記測定する段階は、前記内容物の湿度量を湿度センサにより測定することを特徴とする請求項９記載の乾燥方法。
【請求項１２】
前記予め決定されたデータは、
予め測定された内容物の重さと、予め測定された内容物の湿度量と、予め測定された前記内容物の重さ及び湿度量に応じて予め決定された乾燥時間と、から構成されることを特徴とする請求項９記載の乾燥方法。
【請求項１３】
前記乾燥させる段階は、抵抗体の発熱やマイクロウエーブにより乾燥させることを特徴とする請求項９記載の乾燥方法。
【発明の詳細な説明】
【技術分野】
【０００１】
本発明は、乾燥装置に係るもので、詳しくは、湿度センサを利用した乾燥装置及びその方法に関するものである。
【背景技術】
【０００２】
一般に、乾燥とは、乾燥しようとする内容物の水分を除去することであって、特に、熱風により湿気を除去して前記内容物を乾燥させる方法は、乾燥兼用洗濯機及び食器乾燥機などに大いに応用されている。
【０００３】
また、熱風による乾燥方法だけでなく、内容物の湿気を除去する多様な方法は、使用者が入力した所定時間の間乾燥過程を行うためにタイマーなどを適用している。
【０００４】
然し、熱風による乾燥方法は、内容物の湿気と関係なしに、内容物を所定時間の間、乾燥させるため、内容物の湿気程度に応じて正確に制御することが困難である。
【０００５】
また、電極センサによる乾燥方法は、電極センサに湿った内容物が接触されるとき、電極の両端から発生されるインピーダンスの差に基づいて内容物の乾燥程度を感知し、この感知された乾燥程度に応じて乾燥過程を行う。
【０００６】
然し、電極センサによる乾燥方法は、内容物の量、内容物の種類、並びに、水の量によってインピーダンスの偏差が大きいため、内容物の乾燥程度を正確に調節することが困難である。即ち、電極センサによる乾燥方法は、乾燥過程の初期は、電極センサにより検出される電圧値の差が大きいため、内容物の乾燥過程を行うことが困難でないが、乾燥過程の所定時点以上では、電極センサにより検出される電圧値の差が小さいため、電極センサの内容物に対する乾燥程度の分別力が著しく低下される。
【発明の開示】
【発明が解決しようとする課題】
【０００７】
以上説明したように、従来の乾燥装置及びその方法においては、乾燥程度に応じて内容物を最適に乾燥させることが困難であるという不都合な点があった。
【０００８】
本発明は、このような従来の課題に鑑みてなされたもので、乾燥装置内の内容物の重さ及び湿度量を予め決定されたデータと比較し、該比較結果に基づいて内容物の乾燥時間を調節することで、内容物を最適に乾燥し、かつ消費エネルギーを節約し得る乾燥装置及びその方法を提供することを目的とする。
【課題を解決するための手段】
【０００９】
このような目的を達成するため、本発明に係る乾燥装置は、乾燥装置内の内容物の重さ及び湿度量を予め決定されたデータと比較し、該比較結果に基づいて前記内容物の乾燥時間を調節する制御部を含むことを特徴とする。
【００１０】
また、本発明に係る乾燥方法は、乾燥装置内の内容物の重さ及び湿度量を予め決定されたデータと比較し、該比較結果に基づいて前記内容物の乾燥時間を調節する段階を行うことを特徴とする。
【発明の効果】
【００１１】
本発明に係る乾燥装置は、乾燥装置内の内容物の重さ及び湿度量を予め決定されたデータと比較し、該比較結果に基づいて内容物の乾燥時間を調節することで、内容物の過乾燥や未乾燥を防止するため、内容物を最適に乾燥し、かつ消費エネルギーを節約することができる。
【発明を実施するための最良の形態】
【００１２】
以下図面に基づいて、本発明の実施形態について説明する。
図１は、本発明に係る乾燥装置を示したブロック図である。図示されたように、本発明に係る乾燥装置は、乾燥装置内の内容物の重さを測定する重さ感知センサ10と、内容物の湿度量を測定する湿度センサ20と、それら測定された内容物の重さ及び湿度量を予め決定されたデータと比較し、該比較結果に基づいて内容物の乾燥時間を調節する制御部30と、該調節された乾燥時間の間、内容物を乾燥させる乾燥手段40と、を含んで構成されている。このとき、予め決定されたデータは、予め測定された内容物の重さと、予め測定された内容物の湿度量と、それら予め測定された内容物の重さ及び湿度量に応じて予め決定された乾燥時間とからなり、これらのデータは、格納部50に格納される。
【００１３】
以下、このように構成された本発明に係る乾燥装置の動作に対して説明する。
まず、重さ感知センサ10は乾燥装置内の内容物の重さを測定し、湿度センサ20は内容物の湿度量を測定し、それら測定された内容物の重さ及び湿度量を制御部30にそれぞれ出力する。
【００１４】
次いで、制御部30は、出力された内容物の重さ及び湿度量を格納部50に格納された予め決定されたデータと比較し、該比較結果に基づいて内容物の乾燥時間を調節する。即ち、制御部30は、出力された内容物の重さ及び湿度量に一致する、格納部50に格納されたデータを検索し、該検索されたデータに対応する内容物の乾燥時間を求めることができる。このとき、予め決定されたデータは、予め測定された内容物の重さと、予め測定された内容物の湿度量と、それら予め測定された内容物の重さ及び湿度量に応じて予め決定された乾燥時間と、から構成される。
【００１５】
また、本発明に係る乾燥装置は、乾燥させるための内容物の重さ、内容物の湿度量、並びに、内容物の重さ及び湿度量の変化による内容物の乾燥時間を測定し、該測定されたデータを格納部50に格納することで、格納部50に格納されたデータに基づいて内容物の乾燥時間を調節することができる。このような内容物の重さ及び湿度量の変化による乾燥時間を測定した結果について、図２に基づいて説明する。
【００１６】
図２は、本発明に係る乾燥すべき内容物の重さに対する湿度量及び乾燥時間の変化を測定して示したグラフである。図示されたように、乾燥装置内の各内容物(A、B、C)の重さに対する湿度量及び乾燥時間の変化が示されている。即ち、各内容物の重さをA＜B＜Cに変化させることで、それら内容物の重さによって湿度量がそれぞれ変わるため、それら内容物の乾燥時間も変わることが分かる。よって、本発明に係る乾燥装置は、測定結果に基づいて内容物の重さ及び湿度量による乾燥時間を予め決定することで、内容物を最適に乾燥することができる。
【００１７】
また、測定されたデータは、内容物の重さ及び湿度量による乾燥時間だけでなく、内容物の重さによる最大湿度量、乾燥工程を開始して最大湿度量に到達するまでの時間、及び最大湿度量から乾燥工程により乾燥工程以前の湿度量に到達するまでの時間などの多様なパラメータを考慮することができる。
【００１８】
その後、乾燥手段40は、制御部30により調節された乾燥時間の間、内容物を乾燥させる。このとき、乾燥手段40は、抵抗体の発熱やマイクロウエーブを用いて、内容物を乾燥させることができる。
【００１９】
また、本発明に係る乾燥装置は、乾燥工程が行われるとき、内容物の重さ及び湿度量を重さ感知センサ10及び前記湿度センサ20により周期的に測定し、該測定された内容物の重さ及び湿度量に基づいて乾燥時間を周期的に調節することができる。
【図面の簡単な説明】
【００２０】
【図１】本発明に係る乾燥装置を示したブロック図である。
【図２】本発明に係る乾燥すべき内容物の重さに対する湿度量及び乾燥時間の変化を測定した結果を示したグラフである。
【符号の説明】
【００２１】
10：重さ感知センサ                                        20：湿度センサ
30：制御部                                                40：乾燥手段
50：格納部
【図１】
2004267782.tif 000003
【図２】
2004267782.tif 000004